(57)【特許請求の範囲】
【請求項１】
複数の映像情報と前記映像情報が格納されたあとユーザが設定する前記複数の映像情報の印刷方法を示す印刷管理情報とが外部機器上で格納された取外し可能なメモリーを接続する接続手段と、
前記メモリーに格納され各映像情報ごとに指定された印刷の注文者情報を有する印刷管理情報を解析する解析手段と、
前記解析手段が解析した前記印刷管理情報に従って前記複数の映像情報を印刷する際に、印刷面の裏面に注文者を識別するための識別情報を付与して印刷する印刷制御手段とを有するプリント装置。
【発明の詳細な説明】
【０００１】
【発明の属する技術分野】
本発明は、デジタルスチルカメラを利用したデジタルカメラ、プリント装置、映像表示装置、および映像送信装置に関する。
【０００２】
【従来の技術】
図１２は従来のデジタルカメラとビデオプリンタの構成である。デジタルカメラで撮影した映像をパソコンを介さずに印刷する時には、まず、デジタルカメラとビデオプリンタをビデオケーブルで接続し、デジタルカメラのビデオ出力に印刷したい映像の信号が出力されるように表示送りキーを操作する。出力されたら、ビデオプリンタ側の取り込みキーを押し、映像信号をキャプチャする。これを繰り返して２枚分の映像信号のキャプチャが完了したら、２画面マルチ印刷キーを押せば、２つの映像が１枚に印刷される。
【０００３】
図１３は従来のデジタルカメラと家庭用テレビの構成である。デジタルカメラとビデオプリンタはビデオケーブルで接続される。デジタルカメラの表示送りキーを操作することによって家庭用テレビに映し出される映像を切替えることができる。
【０００４】
図１４は従来のデジタルカメラと携帯電話とモデムの構成である。デジタルカメラと携帯電話はRS232Cインタフェースで接続される。デジタルカメラはATコマンドを使ったモデム操作によって通信を確立した後、選択した映像の送信を実施する。
【０００５】
【発明が解決しようとする課題】
図１２、１３、１４の構成では、操作中はデジタルカメラを使用できなくなるという問題点があった。
【０００６】
また、図１２の構成で２画面マルチ印刷を実施した場合、カメラを横に構えて撮った映像と縦に撮った映像を混在させないように印刷させるには大変な面倒な作業が必要だった。
【０００７】
また、図１２の構成で焼き増し作業を行なう場合の様に複数人からの印刷の依頼があった場合、必要枚数分の印刷の後、注文者別に仕分け作業が大変となるという問題点があった。
【０００８】
そこで、本発明は、撮影した映像に対して印刷、表示、通信の実行中であってもデジタルカメラを自由に使用可能にすることを目的とする。
【０００９】
また、マルチ画面印刷を実施した場合に映像の縦の方向が統一される様に印刷されることを目的とする。
【００１０】
また、焼き増し印刷を実施する際に、印刷後の仕分け作業を楽にすることを目的とする。
【００１１】
【課題を解決するための手段】
本発明の内で第１の観点の発明は、取り外し可能な不揮発性記憶手段と、前記不揮発性記憶手段上に撮影した映像情報を格納する撮影手段と、印刷すべき映像を選択する印刷映像選択手段と、印刷すべき映像に関する情報を前記不揮発性記憶手段上に格納する印刷管理情報格納手段からなることを特徴とするデジタルカメラである。
【００１２】
本発明の内で第２の観点の発明は、取り外し可能な不揮発性記憶手段と、前記不揮発性記憶手段上に撮影した映像情報を格納する撮影手段と、表示すべき映像を選択する表示映像選択手段と、表示すべき映像に関する情報を前記不揮発性記憶手段上に格納する表示管理情報格納手段からなることを特徴とするデジタルカメラである。
【００１３】
本発明の内で第３の観点の発明は、取り外し可能な不揮発性記憶手段と、前記不揮発性記憶手段上に撮影した映像情報を格納する撮影手段と、送信すべき映像を選択する送信映像選択手段と、送信すべき映像に関する情報を前記不揮発性記憶手段上に格納する通信管理情報格納手段からなることを特徴とするデジタルカメラである。
【００１４】
本発明の内で第４の観点の発明は、取り外し可能な不揮発性記憶手段と、前記不揮発性記憶手段上に撮影した映像情報を格納する撮影手段と、映像を選択する映像選択手段と、選択した映像に対する処理命令列を前記不揮発記憶手段上に格納する処理管理情報格納手段からなることを特徴とするデジタルカメラである。
【００１５】
本発明の内で第５の観点の発明は、上記印刷映像選択手段は注文者自身を象徴する映像をあらかじめ記憶された映像の中から選択可能とし、上記印刷管理情報格納手段は注文者自身を象徴する映像に関する情報も格納することを特徴とするデジタルカメラである。
【００１６】
本発明の内で第６の観点の発明は、上記印刷管理情報格納手段は映像の回転角度に関する情報も格納することを特徴とするデジタルカメラである。
【００１７】
本発明の内で第７の観点の発明は、上記表示管理情報格納手段は映像の回転角度に関する情報も格納することを特徴とするデジタルカメラである。
【００１８】
本発明の内で第８の観点の発明は、上記通信管理情報格納手段は映像の回転角度に関する情報も格納することを特徴とするデジタルカメラである。
【００１９】
本発明の内で第９の観点の発明は、印刷すべき複数の映像情報を１枚の紙に印刷するマルチプリント手段と、印刷すべき映像および映像の回転角度に関する印刷管理情報を取得する印刷管理情報取得手段と、回転角度が同じ映像情報を同じグループとし、一枚の紙に印刷される複数の映像は同じグループに属するものになる様に印刷順序を調整して決定する印刷順序調整手段と、マルチプリント手段に対して印刷順序を指定する印刷制御手段とを有することを特徴とするプリント装置である。
【００２０】
本発明の内で第１０の観点の発明は、映像情報を印刷するプリント手段と、印刷すべき映像および印刷の注文者に関する印刷管理情報を取得する印刷管理情報取得手段と、印刷管理情報が指定する印刷順序に従って印刷の順序を決定する印刷順序調整手段と、前記注文者が異なる映像を印刷する場合には、印刷結果に異なる色、形、または太さの枠線を入れる様に印刷制御手段に指定する枠指定手段と、プリント手段に対して印刷順序と枠の色を指定する印刷制御手段とを有することを特徴とするプリント装置である。
【００２１】
本発明の内で第１１の観点の発明は、映像情報を印刷するプリント手段と、印刷すべき映像、印刷の注文者、および注文者自身を象徴する映像に関する印刷管理情報を取得する印刷管理情報取得手段と、印刷管理情報が指定する印刷順序に従って印刷の順序を決定する印刷順序調整手段と、前記注文者が異なる映像を印刷する場合には、印刷結果に異なる色、形、または太さの枠線を入れる様に印刷制御手段に指定する枠指定手段と、注文者自身を象徴する映像を枠指定手段が指定した枠線を使って印刷指示をする注文者一覧構成手段と、プリント手段に対して印刷順序と枠の色を指定する印刷制御手段とを有することを特徴とするプリント装置である。
【００２２】
本発明の内で第１２の観点の発明は、映像情報を印刷するプリント手段と、印刷すべき映像および印刷の注文者に関する印刷管理情報を取得する印刷管理情報取得手段と、印刷管理情報が指定する印刷順序に従って印刷の順序を決定する印刷順序調整手段と、前記注文者が異なる映像を印刷する場合には、印刷結果に異なるマークを入れる様に印刷制御手段に指定するマーキング指定手段と、プリント手段に対して印刷順序とマークを指定する印刷制御手段とを有することを特徴とするプリント装置である。
【００２３】
本発明の内で第１３の観点の発明は、映像情報を印刷するプリント手段と、印刷すべき映像、印刷の注文者、および注文者自身を象徴する映像に関する印刷管理情報を取得する印刷管理情報取得手段と、印刷管理情報が指定する印刷順序に従って印刷の順序を決定する印刷順序調整手段と、前記注文者が異なる映像を印刷する場合には、印刷結果に異なるマークを入れる様に印刷制御手段に指定するマーキング指定手段と、注文者自身を象徴する映像をマーキング指定手段が指定したマークを使って印刷指示をする注文者一覧構成手段と、プリント手段に対して印刷順序とマークを指定する印刷制御手段とを有することを特徴とするプリント装置である。
【００２４】
本発明の内で第１４の観点の発明は、上記印刷管理情報取得手段は、印刷すべき映像および映像の回転角度に関する印刷管理情報を取得し、上記印刷順序調整手段は、回転角度が同じ映像情報を同じグループとし、グループの異なる映像情報が、１枚の紙に混在して印刷されない様に映像の印刷順序を調整して決定することを特徴とするプリント装置である。
【００２５】
本発明の内で第１５の観点の発明は、映像情報を表示する表示手段と、取り外し可能な不揮発性記憶手段と、取り外し可能な不揮発性記憶手段から表示すべき映像に関する表示管理情報を取得する表示管理情報取得手段と、表示手段に対して表示順序を指定する表示制御手段とを有することを特徴とする映像表示装置である。
【００２６】
本発明の内で第１６の観点の発明は、映像情報を送信する通信手段と、取り外し可能な不揮発性記憶手段と、取り外し可能な不揮発性記憶手段から送信すべき映像に関する送信管理情報を取得する通信管理情報取得手段と、送信手段に対して送信順序を指定する通信制御手段とを有することを特徴とする映像送信装置である。
【００２７】
本発明にかかるプリントシステム、表示システム、または通信システムにおいては、撮影した映像に対してそれぞれ印刷、表示、通信の実行中であってもデジタルカメラを自由に使用可能である。
【００２８】
また、本発明にかかるプリントシステムにおいては、マルチ画面印刷を実施した場合に映像の縦の方向が統一される様に印刷される。
【００２９】
また、本発明にかかるプリントシステムにおいては、焼き増し印刷を実施する際に、印刷後の仕分け作業を楽に実現できる。
【００３０】
【発明の実施の形態】
本発明の請求項１に記載の発明は、映像情報と前記映像情報が格納されたあとユーザが設定する前記映像情報の回転に関する回転情報および印刷方法を含む印刷管理情報とを格納する取り外し可能なメモリーを接続する接続手段と、  前記メモリーからの前記印刷管理情報を解析する解析手段と、前記解析手段が解析した前記印刷管理情報に従って前記メモリーからの前記映像情報を印刷する制御手段とを有するプリント装置としたものであり、かかる構成とすることにより、プリント装置に前記取外し可能なメモリーを差込むことにより、印刷動作とは独立してデジタルカメラを自由に使用可能となる。
【００３１】
また、印刷管理情報格納手段により、マルチ画面印刷を実施した場合に映像の縦の方向が統一される様に印刷され、焼き増し印刷を実施する際に、印刷後の仕分け作業を楽に実現できる。
【００３２】
（実施の形態１）
図１は、本発明にかかるデジタルカメラのブロック図である。図１において、１は対物レンズ、２はＣＣＤ（電荷結合素子）、３はＡ／Ｄ変換器、４は映像圧縮手段、５はメモリカードに対して圧縮された映像をファイル名で一意に特定できるファイルの形で書き込む映像書き込み手段、スイッチS1はシャッタであり、撮影手段１００を構成する。
【００３３】
９はファイル名を指定して映像ファイルを読み出す映像読み出し手段、１０は映像伸長手段、１１はＤ／Ａ変換器、S2は再生スイッチ、１２は液晶、１３は表示送りキー、１４は表示回転キー、１５は液晶に表示中の映像に関する情報を取得する映像情報取得手段、１７は注文者指定キー、１８は印刷指定キーであり、映像選択手段１０１を構成する。
【００３４】
１６は印刷管理情報を生成し、メモリカードに印刷管理情報ファイルを作成する印刷管理情報格納手段１０２を構成する。
【００３５】
１０３はフラッシュメモリカードで、デジタルカメラから取り外し可能でかつ、不揮発性のメモリである。このフラッシュメモリカードは取り外し可能な不揮発性記憶手段を構成する。フラシュメモリカードの内部には、映像ファイル７および印刷管理情報ファイル８がDOSフォーマットの形式で記憶される。
【００３６】
図２は、本発明にかかるプリント装置のブロック図である。５１はメモリカード１０３上の印刷管理情報ファイル８を取得する印刷管理情報取得手段である。５２は映像の回転角度毎に印刷すべき映像を回転角度毎にグループ分けし、異なる回転角度の映像ができるだけ混在しないように印刷順序を調整する印刷順序調整手段である。５３は２画面マルチプリント手段５６に対して指定された印刷順序と枠線の色で印刷を実施する様に制御を行なう印刷制御手段である。また、印刷制御手段は、全ての映像の印刷が終了した後、注文者一覧構成手段５５の指示に従って注文者一覧を印刷する。５４は、注文者毎に枠線の色が変わる様に印刷制御手段に対して指示を行なう枠指定手段である。５５は、注文者を示す映像情報を枠指定手段が使用した色の枠線を使って印刷するように指示する注文者一覧構成手段である。
【００３７】
以下、動作を説明する。いま、シャッタボタンS1が押されたとする。すると、ＣＣＤ２から取り込まれた映像信号はＡ／Ｄ変換器３、映像圧縮手段４、映像書き込み手段５によって、メモリカードの中で一意に特定できるファイルとしてフラッシュメモリカード１０３に書き込まれる。いま、６回の撮影によって６個のファイル"A.JPG","B.JPB","C.JPG","D.JPG""M.JPG","N.JPG"がフラッシュメモリカード内部に蓄えられているものとする。このうち、"M.JPG","N.JPG"はそれぞれユーザＭ氏とＮ氏自身を撮影した映像であるとする。
【００３８】
ユーザは、再生スイッチS2をオンすることにより、撮影した映像を液晶で見ることができる。すなわち、映像読み出し手段９が１個のファイルを読み出し、映像伸長手段１０、Ｄ／Ａ変換器１１を経て液晶に映像が表示される。またユーザが表示送りキー１３を押すと、映像読み出し手段は現在表示中の映像とは別のファイルを読み出し、表示を開始する。
【００３９】
さらに、ユーザは表示中にカメラを縦に構えて撮影した映像が図３(a)の様に表示された場合、表示回転キー１４を押すと、映像読み出し手段９は表示中の映像と同じ映像を再び呼び出し、かつ回転スイッチS3を回転手段６側にスイッチする。すると、伸長された映像は、回転キー１４によって右に９０度回転して液晶１２に縦に表示され、図３(b)の様に表示される。次の送りキーが押されると表示回転スイッチS3は反対側に戻る。
【００４０】
ユーザＭ氏が印刷すべき映像を登録するにはまず、Ｍ氏が撮影されている映像を表示送りキー１３を使って表示し、かつ注文者指定キー１７を押す。すると、映像情報取得手段１５は映像読み出し手段９から、表示中の映像のファイル名を取得する。印刷管理情報格納手段１０２は"ORDER "という文字列をファイル名の前に付けて、印刷管理情報ファイル"PRINT"の１行目としてフラッシュメモリカード１０３に記憶する。
【００４１】
次にＭ氏は表示送りキー１３を使って、印刷したい映像としてまず"A.JPG"を表示されたとする。この時、印刷指定キー１８を押すと映像情報取得手段１５は映像読み出し手段９から、表示中の映像ファイル名および回転キーの状態を取得する。回転キーを使っていなければ、印刷管理情報格納手段１０２は"A.JPG 0"という文字列を印刷管理情報ファイル"PRINT"の２行目としてフラッシュメモリカード１０３に記憶する。最後の"0"は回転キーの状態を示す。回転キーが押されていれば、"90"を設定する。その後同様に、"B.JPG"を回転させた後印刷指定キー１８を押し、"C.JPG"を表示後印刷指定キー１８を押し、"D.JPG"を表示、回転後、印刷指定キー１８を押した場合、図４の５行目迄が作成される。
【００４２】
次に同様にＮ氏が印刷すべき映像を選択して図４の６〜８行目までの印刷管理情報ファイルが作成される。
【００４３】
ユーザは選択した映像を印刷するためにプリント装置３００にフラッシュメモリカードを装着する。すると印刷管理情報取得手段５１が"PRINT"なるファイルを探し、そのファイルの内容を印刷順序調整手段５２、枠指定手段５４、注文者一覧構成手段５５に通知する。印刷順序調整手段５２は回転角度が同じ映像をグループ分けし、できるだけ異なるグループの映像が１枚の紙に混在しないように印刷順序を調整する。この結果、図６の印刷順序を決定する。
【００４４】
枠指定手段５４は、印刷管理情報ファイル"PRINT"の内容を受けとると、注文者毎に印刷枠の色を指定する。５枚目で注文者が変わるので枠の色をグレーから青に変える様に印刷制御手段に指定する。また、最初の注文者用にグレーの枠を使い、次の注文者用に青の枠を使った旨を注文者一覧構成手段５５に通知する。
【００４５】
注文者一覧構成手段５５は、印刷管理情報ファイル"PRINT"の"ORDER"で始まる行の映像ファイル名を抜き出し、その映像ファイルを枠指定手段５４から受けとった枠の色を使って印刷する様に印刷制御手段５３に指定する。
【００４６】
印刷制御手段５３は、まず、印刷順序調整手段５２から受けた指示を最初に実施する。
【００４７】
これにより、２画面マルチプリント手段５６は図７(a)、(b)、(c)の様に３枚の印刷を実施する。次に、注文者一覧構成手段５５からの指定により、図７(d)の様に１枚の印刷を実施する。
【００４８】
なお、回転角度は０度および９０度のみ選択可能としたが、任意の角度を選択可能としても良い。また、９０度と２７０度の映像はどちらかを１８０度回転させて印刷されることによって同一の紙に印刷可能である。
【００４９】
なお、本実施形態では印刷枠の色を変えて、注文者を識別するとしたが、印刷枠線の太さや形を変えてもよい。また、特定の形のマーク（例えば、赤い正方形、青い正方形）を識別方法として用いても良い。また、特定のマークを紙の裏面に印刷しても良い。
【００５０】
なお、本実施形態では、回転角度はユーザの操作により確認できるものとしたが、姿勢検出手段によって自動的に回転角度を得ても良い。
【００５１】
なお、本実施形態では注文者に関する情報は仕分け作業を楽にする様な目的で使ったが、焼き増し料金を計算して印刷または表示を行なっても良い。
【００５２】
なお、本実施形態では、注文者を象徴する映像を選択するものとしたが、注文者を識別する文字列を入力し、印刷管理情報に含めても良い。そして、その文字列をプリントしても良い。
【００５３】
これにより、プリント装置にメモリカードを差し込んだ後、デジタルカメラ無しでも自動的に映像のプリントが可能になる。
【００５４】
また、異なった回転角度の映像を様々な順番で印刷しても映像の縦の方向が統一される様に印刷することが容易にできる様になる。
【００５５】
また、焼き増し印刷を実施する際に、注文者毎に区別された印刷枠またはマーク、および注文者の一覧印刷により印刷後の仕分け作業を楽に実現できる。
【００５６】
（実施の形態２）
図８および図９はデジタルカメラを利用した表示システムの構成図を示す。プリントシステムと同様に、ユーザがデジタルカメラ上で選択した映像のファイル名をメモリカード上に表示管理情報ファイルとして作成する。図９の表示装置の表示制御手段は、メモリカードから表示すべき映像のファイル名を表示管理情報により得て、順番に表示手段２１２に対して表示を行なう。
【００５７】
この時表示管理ファイルの名前を"DISPLAY"等に決めておく。これにより、表示装置にメモリカードを差し込んだ後、デジタルカメラ無しでも自動的に映像を切替えながら表示を行なうことができる。
【００５８】
（実施の形態３）
図１０および図１１はデジタルカメラを利用した表示システムの構成図を示す。プリントシステムと同様に、ユーザがデジタルカメラ上で選択した映像のファイル名をメモリカード上に通信管理情報ファイルとして作成する。図１１の通信装置の通信制御手段は、メモリカードから送信すべき映像のファイル名を通信管理情報ファイルより得て、順番に通信手段３１２に対して送信を指示する。
【００５９】
この時表示管理ファイルの名前を"SEND"等に決めておく。これにより、携帯電話やモデム等の通信装置にメモリカードを差し込んだ後、デジタルカメラが無しでも自動的に映像の送信を行なうことができる。
【００６０】
【発明の効果】
以上説明したように、本発明にかかるプリントシステム、表示システム、または通信システムにおいては、撮影した映像に対してそれぞれ印刷、表示、通信の実行中であってもデジタルカメラを自由に使用可能である。
【００６１】
また、本発明にかかるプリントシステムにおいては、マルチ画面印刷を実施した場合に映像の縦の方向が統一される様に印刷される。
【００６２】
また、本発明にかかるプリントシステムにおいては、焼き増し印刷を実施する際に、印刷後の仕分け作業を楽に実現できる。
【図面の簡単な説明】
【図１】  本発明にかかるデジタルカメラプリントシステムを構成するデジタルカメラのブロック図
【図２】  本発明にかかるデジタルカメラプリントシステムを構成するプリント装置のブロック図
【図３】  本発明にかかる表示選択手段の回転キーの動作説明図
【図４】  本発明にかかる印刷管理情報ファイルの内容を示す図
【図５】  本発明にかかる印刷順序調整手段５２の動作のフローチャート
【図６】  本発明にかかる印刷順序調整手段５２が印刷制御手段５３に対する指示内容を示す図
【図７】  本発明にかかる実施の形態におけるプリント装置の出力結果を示す図
【図８】  本発明にかかる実施の形態における表示システムを構成するデジタルカメラのブロック図
【図９】  本発明にかかる実施の形態における表示システムを構成する表示装置のブロック図
【図１０】  本発明にかかる実施の形態における通信システムを構成するデジタルカメラのブロック図
【図１１】  本発明にかかる実施の形態における通信システムを構成する通信装置のブロック図
【図１２】  従来のデジタルカメラを利用したプリントシステムの構成図
【図１３】  従来のデジタルカメラを利用した表示システムの構成図
【図１４】  従来のデジタルカメラを利用した通信システムの構成図
【符号の説明】
１  対物レンズ
２  ＣＣＤ（電荷結合素子）
３  Ａ／Ｄ変換器
４  映像圧縮手段
５  映像書き込み手段
６  回転手段
７  映像ファイル
８  印刷管理情報ファイル
９  映像読み出し手段
１０  映像伸長手段
１１  Ｄ／Ａ変換器
１２  液晶
１３  表示送りキー
１４  回転キー
１５  映像情報取得手段
１７  注文者指定キー
１８  印刷指定キー
５１  印刷管理情報取得手段
５２  印刷順序調整手段
５３  印刷制御手段
５４  枠指定手段
５５  注文者一覧構成手段
５６  ２画面マルチプリント手段
６０  マルチプリント手段
１００  撮影手段
１０１  映像選択手段
１０２  印刷管理情報格納手段
１０３  フラッシュメモリカード
２００  表示管理情報ファイル
２０１  表示管理情報格納手段
２０２  表示映像選択手段
２１０  表示管理情報取得手段
２１１  表示制御手段
２１２  表示手段
３００  通信管理情報ファイル
３０１  通信管理情報格納手段
３０２  送信映像選択手段
３１０  通信管理情報取得手段
３１１  通信制御手段
３１２  通信手段
【図１】
0003693635.tif 000002
【図２】
0003693635.tif 000003
【図３】
0003693635.tif 000004
【図４】
0003693635.tif 000005
【図５】
0003693635.tif 000006
【図６】
0003693635.tif 000007
【図７】
0003693635.tif 000008
【図８】
0003693635.tif 000009
【図９】
0003693635.tif 000010
【図１０】
0003693635.tif 000011
【図１１】
0003693635.tif 000012
【図１２】
0003693635.tif 000013
【図１３】
0003693635.tif 000014
【図１４】
0003693635.tif 000015